【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
被記録媒体を給送する給送手段と、被記録媒体を記録部に搬送する搬送ローラと、前記搬送ローラと協働して被記録媒体を挟持するピンチローラと、前記搬送ローラによって前記記録部とは反対の方向に搬送された被記録媒体の表裏を反転して前記搬送ローラに搬送する反転部と備え、前記給送手段または前記反転部から搬送される被記録媒体の先端を前記搬送ローラと前記ピンチローラのニップに突き当てることにより斜行補正する両面記録装置であって、
前記給送手段または前記反転部から搬送される被記録媒体を前記ニップに案内する第１のポジションと、前記搬送ローラによって被記録媒体を前記反転部に案内する第２のポジションと、に移動可能なガイド部材を備えることを特徴とする両面記録装置。
【請求項２】
前記給送手段から前記搬送ローラに被記録媒体を案内する第１搬送路は、前記搬送ローラから前記反転部に被記録媒体を案内する第２搬送路の上方に配置されていることを特徴とする請求項１に記載の両面記録装置。
【請求項３】
前記ピンチローラは前記搬送ローラの記録部側に偏った位置で前記搬送ローラに接触していることを特徴とする請求項１に記載の両面記録装置。
【請求項４】
前記第１のポジションは、前記第２のポジションより高いことを特徴とする請求項１に記載の両面記録装置。
【請求項５】
第１のポジションに位置する前記ガイド部材は、前記搬送ローラと前記ピンチローラのニップよりも高い位置から前記被記録媒体を前記ニップに案内することを特徴とする請求項１乃至４のいずれか１項に記載の両面記録装置。
【請求項６】
前記ガイド部材の被記録媒体の案内面は上流側端部及び下流側端部が低い凸形状であることを特徴とする請求項１乃至５のいずれか１項に記載の両面記録装置。
【請求項７】
前記ガイド部材は、前記反転部から送られてきた被記録媒体が厚いとき、第２のポジションに位置したまま該被記録媒体を前記搬送ローラと前記ピンチローラのニップに案内することを特徴とする請求項１に記載の両面記録装置。
【手続補正２】
【補正対象書類名】明細書
【補正対象項目名】０００６
【補正方法】変更
【補正の内容】
【０００６】
本発明は、上記目的を達成するため、被記録媒体を給送する給送手段と、被記録媒体を記録部に搬送する搬送ローラと、前記搬送ローラと協働して被記録媒体を挟持するピンチローラと、前記搬送ローラによって前記記録部とは反対の方向に搬送された被記録媒体の表裏を反転して前記搬送ローラに搬送する反転部と備え、前記給送手段または前記反転部から搬送される被記録媒体の先端を前記搬送ローラと前記ピンチローラのニップに突き当てることにより斜行補正する両面記録装置であって、前記給送手段または前記反転部から搬送される被記録媒体を前記ニップに案内する第１のポジションと、前記搬送ローラによって被記録媒体を前記反転部に案内する第２のポジションと、に移動可能なガイド部材を備えることを特徴とする。
【手続補正３】
【補正対象書類名】明細書
【補正対象項目名】００２０
【補正方法】変更
【補正の内容】
【００２０】
給紙部から給送された被記録用紙は、紙送りローラ２１とピンチローラ２２のニップ部に向けて搬送される。ピンチローラ２２の中心は、紙送りローラ２１の中心に対して、第１排紙ローラ３０に近づく方向の若干のオフセットを持って取り付けられているので、被記録用紙が挿入される接線方向角度は水平より若干傾いている。よって、用紙先端が的確にニップ部にガイドされるように、ピンチローラホルダ２３とガイド部材（通紙ガイド）７０により形成される通紙経路で角度を付けて被記録用紙を搬送するようにしている。
【手続補正４】
【補正対象書類名】明細書
【補正対象項目名】００５０
【補正方法】変更
【補正の内容】
【００５０】
図６は、通紙ガイド上下機構の動作を模式的に示す部分側面図である。図６の（ａ）は、ガイド部材としての通紙ガイド７０がアップ状態である第１のポジションに位置している状態を示す。図６の（ａ）において、通紙ガイド７０は通常通紙ガイドばね７１により持ち上げられる方向に付勢されており、不図示のストッパに突き当たって位置（上昇位置、アップ位置）を決められている。この弾性部材としての通紙ガイドばね７１の作用により、メインＡＳＦから給紙された被記録用紙が通過する場合は、通紙ガイド７０はこの姿勢（アップ状態）を保っている。ただし、通常より大きな力がかかった場合には、通紙ガイド７０は通紙ガイドばね７１のばね力に抗して下がる（ダウン状態になる）ことができるように構成されている。
【手続補正５】
【補正対象書類名】明細書
【補正対象項目名】００５１
【補正方法】変更
【補正の内容】
【００５１】
図６の（ｂ）は、通紙ガイド７０がダウン状態である第２のポジションに位置している状態を示す。図６の（ｂ）において、リフトカム軸５８に固定された通紙ガイド押圧カム６５が図６中の矢印ａ方向に回転することにより、通紙ガイド押圧カム６５が通紙ガイド７０の一部である通紙ガイドカムフォロワ部７０ａに当接して徐々に押圧していく。これによって、通紙ガイド７０は、図６中の矢印ｂ方向に回転させられ、通紙ガイドばね７１のばね力に抗して押し下げられる。この状態では、通紙ガイド７０の通紙パスに面する部分は略水平になり、通紙パスはほぼ完全にストレートになる。これにより、図２中で、用紙が紙送りローラ２１より矢印ｂ方向へ搬送される際も、被記録用紙は水平に搬送され、被記録用紙表面の既に記録が行われた部分が通紙パス上方に押し付けられることが無くなる。
【手続補正６】
【補正対象書類名】明細書
【補正対象項目名】００８７
【補正方法】変更
【補正の内容】
【００８７】
もし、被記録用紙４の記録済み面が両面ピンチローラＡ１１２や両面ピンチローラＢ１１３側に接していて、それらのローラとの間で滑りが生じた場合、記録済み面のインクが剥離してしまう可能性がある。それを防止するために、本実施形態のように、記録済み面（表側）側に駆動側部材が当接するようにし、未記録面（裏面）側に従動部材が当接するような配置になっている。さらに、配置上の別の理由として以下の理由も挙げられる。すなわち、駆動側の両面ローラＡ１０８あるいは両面ローラＢ１０９は、被記録用紙４の屈曲半径により制約があるため、ある程度以下の直径にすることはできないが、両面ピンチローラＡ１１２や両面ピンチローラＢ１１３は小径化することが可能であるので、自動両面ユニット２をコンパクトに設計するためには、両面ピンチローラＡ１１２や両面ピンチローラＢ１１３を小径に設計することが多い。
【手続補正７】
【補正対象書類名】明細書
【補正対象項目名】０１２８
【補正方法】変更
【補正の内容】
【０１２８】
次に、比較的剛性の強い厚い被記録用紙（被記録媒体）の場合を説明する。図１９は厚い被記録用紙を使用した場合の裏面先端レジストレーション動作を示す模式的側断面図である。図１９の（ａ）は、図１８の（ａ）と同様にステップＳ１３の途中の状態を示し、図１９の（ｂ）はステップＳ１３が終了したときの状態を示す。次に、ステップＳ２０で、通紙ガイド７０が第２のポジションである下降位置に位置したままＬＦモータ２６を逆方向に回転させ、ステップＳ１３で停止した位置の被記録用紙４の裏面先端から紙送りローラ２１のニップまでの距離よりも少しだけ長い距離ｘ４だけ被記録用紙４を搬送する。これによって、薄い被記録用紙の場合と同様に、被記録用紙４の裏面先端は逆転している紙送りローラ２１のニップ部に到達し、更に用紙が押し込まれた分でループが形成されるので、被記録用紙４の裏面先端は紙送りローラ２１と平行になり、レジストレーション動作が完了する。図１９の（ｃ）はステップＳ２０が終了したときの状態を示す。
【手続補正８】
【補正対象書類名】明細書
【補正対象項目名】０１４５
【補正方法】削除
【補正の内容】
【手続補正９】
【補正対象書類名】明細書
【補正対象項目名】０１４６
【補正方法】削除
【補正の内容】
【手続補正１０】
【補正対象書類名】明細書
【補正対象項目名】０１４７
【補正方法】削除
【補正の内容】
【手続補正１１】
【補正対象書類名】明細書
【補正対象項目名】０１４８
【補正方法】削除
【補正の内容】
【手続補正１２】
【補正対象書類名】明細書
【補正対象項目名】０１４９
【補正方法】削除
【補正の内容】
【手続補正１３】
【補正対象書類名】明細書
【補正対象項目名】０１５０
【補正方法】削除
【補正の内容】
【手続補正１４】
【補正対象書類名】明細書
【補正対象項目名】０１５１
【補正方法】削除
【補正の内容】
【手続補正１５】
【補正対象書類名】明細書
【補正対象項目名】０１５２
【補正方法】削除
【補正の内容】
【手続補正１６】
【補正対象書類名】明細書
【補正対象項目名】０１５３
【補正方法】削除
【補正の内容】
【手続補正１７】
【補正対象書類名】明細書
【補正対象項目名】０１５４
【補正方法】削除
【補正の内容】
【手続補正１８】
【補正対象書類名】明細書
【補正対象項目名】０１５５
【補正方法】削除
【補正の内容】